(57)【特許請求の範囲】
【請求項１】
ボアが形成され、医用撮像機構を装備する架台と、
前記ボアの中心軸に沿って天板を移動させる寝台と、
前記天板とは別個に設けられ、前記ボアの前記中心軸に沿って移動可能に設けられた移動体と、
前記移動体に設けられ、映写機からの映像が投影されるスクリーンと、
前記スクリーンに投影された映像を反射する反射板と、
前記移動体に設けられ前記反射板を支持する支持体と、
前記移動体と前記天板とを連結する連結部と、を具備し、
前記移動体と前記天板とは、前記移動体との連結位置まで前記天板が上昇したときに、前記連結部により連結され、
前記移動体と前記天板との連結は、前記移動体との連結位置から前記天板が下降したときに解除される、
医用画像診断装置。
【請求項２】
ボアが形成され、医用撮像機構を装備する架台と、
前記ボアの中心軸に沿って天板を移動させる寝台と、
前記天板とは別個に設けられ、前記ボアの前記中心軸に沿って移動可能に設けられた移動体と、
前記移動体に設けられ、映写機からの映像が投影されるスクリーンと、
前記スクリーンに投影された映像を反射する反射板と、
前記移動体に設けられ前記反射板を支持する支持体と、
前記移動体と前記天板とを連結する連結部と、を具備し、
前記移動体と前記天板とは、前記移動体との連結位置まで前記天板を上昇させることで、前記連結部により連結され、
前記移動体と前記天板との連結は、前記移動体との連結位置から前記天板を下降させることで解除される、
医用画像診断装置。
【請求項３】
前記移動体は、前記天板が前記ボアの外側に配置されている状態において、前記ボアの端部に前記スクリーンが位置するように前記ボア内に配置される、請求項１又は２記載の医用画像診断装置。
【請求項４】
前記移動体は、前記連結部として、前記天板に連結するための第１の連結部を有し、
前記天板は、前記連結部として、前記移動体に連結するための前記第１の連結部に対応する第２の連結部を有する、
請求項１又は２記載の医用画像診断装置。
【請求項５】
前記第１の連結部は、鉤爪であり、
前記第２の連結部は、前記鉤爪に嵌まり合う溝である、
請求項４記載の医用画像診断装置。
【請求項６】
前記移動体は、前記天板に連結された状態において、前記寝台による前記天板の水平動に連動して前記ボア内を前記中心軸に沿って水平動する、請求項１又は２記載の医用画像診断装置。
【請求項７】
前記支持体は、前記天板が前記ボア内に置かれている状態において、前記天板に載置された人物が前記スクリーンに投影された映像を前記反射板を介して視認可能な第１の角度と、前記スクリーンに投影された映像を前記架台の外部から視認する人物の視界を遮らない第２の角度との間で切り替え可能に前記反射板を支持する、請求項１又は２記載の医用画像診断装置。
【請求項８】
前記支持体は、前記スクリーンを挟んで前記映写機とは反対側において、前記移動体から離間した位置にて前記反射板を回転可能に支持する、請求項１又は２記載の医用画像診断装置。
【請求項９】
前記移動体は、前記反射板が前記スクリーンに対して接近又は離間可能に前記支持体をスライドするスライド機構と前記反射板が前記スクリーンに対して接近又は離間可能に前記支持体を所定の旋回軸回りに旋回するリンク機構との少なくとも一方を有する、請求項１又は２記載の医用画像診断装置。
【請求項１０】
前記移動体は、前記ボア内に設置されたレールを転がる車輪又は前記レールに接触する低摩擦係数を有する表面を有する、請求項１又は２記載の医用画像診断装置。
【請求項１１】
前記支持体は、折りたたみ可能な構造を有する、請求項１又は２記載の医用画像診断装置。
【請求項１２】
前記移動体は、前記移動体に対して垂直又は垂直に対して所定の傾き角度で前記スクリーンを支持する、請求項１又は２記載の医用画像診断装置。
【請求項１３】
前記スクリーンは、前記ボアの内径よりも１０ｍｍから５０ｍｍ小さい外径を有する、請求項１又は２記載の医用画像診断装置。
【請求項１４】
前記スクリーン、前記反射板及び前記支持体の少なくとも一つに設けられ、前記天板に載置された人物を撮影する撮影部を更に備える請求項１又は２記載の医用画像診断装置。
【請求項１５】
前記撮影部は、
前記スクリーン、前記反射板及び前記支持体の少なくとも一つに設けられた対物レンズと、
前記対物レンズからの光を導く光導波路と、
前記ボアの外部に設けられ前記光導波路からの光を受光する受光素子と、を有する、
請求項１４記載の医用画像診断装置。
【請求項１６】
前記スクリーン、前記反射板及び前記支持体の少なくとも一つに設けられ、前記天板に載置された人物の動きに応じて変化する体動情報を収集する体動情報収集部を更に備える請求項１又は２記載の医用画像診断装置。
【請求項１７】
前記スクリーン、前記反射板及び前記支持体の少なくとも一つに設けられたマイク及びスピーカの少なくとも一方を更に備える請求項１又は２記載の医用画像診断装置。
【請求項１８】
前記天板が前記ボアの外側に配置されている状態において、前記ボアの前記天板が配置されている方の端部に映像を映し出す映像表示部を更に備える請求項１又は２記載の医用画像診断装置。
【請求項１９】
前記スクリーンは、前記移動体との連結位置から前記天板が下降した状態で、前記ボアを塞ぐように位置する、請求項１又は２記載の医用画像診断装置。
【発明の詳細な説明】
【技術分野】
【０００１】
本発明の実施形態は、医用画像診断装置に関する。
【背景技術】
【０００２】
磁気共鳴イメージング装置は、磁石等の撮像機構を装備する架台を有している。架台には略中空形状のボアが形成されている。ＭＲ（Magnetic Resonance）撮像はボア内に患者が挿入された状態において行われる。比較的大きいボア径を有する架台が開発されているが、長時間に及ぶＭＲ撮像時間や架台駆動中の騒音、ボア内での圧迫感及び閉塞感により、ＭＲ検査にストレスを感じる患者は少なくない。
【先行技術文献】
【特許文献】
【０００３】
【特許文献１】特開２００１−３１４３９１号公報
【発明の概要】
【発明が解決しようとする課題】
【０００４】
実施形態の目的は、架台のボア内の居住性を向上可能な医用画像診断装置を提供することにある。
【課題を解決するための手段】
【０００５】
実施形態に係る医用画像診断装置は、ボアが形成され、医用撮像機構を装備する架台と、前記ボアの中心軸に沿って天板を移動させる寝台と、前記天板とは別個に設けられ、前記ボアの前記中心軸に沿って移動可能に設けられた移動体と、前記移動体に設けられ、映写機からの映像が投影されるスクリーンと、前記スクリーンに投影された映像を反射する反射板と、前記移動体に設けられ前記反射板を支持する支持体と、前記移動体と前記天板とを連結する連結部と、を具備し、前記移動体と前記天板とは、前記移動体との連結位置まで前記天板が上昇したときに、前記連結部により連結され、前記移動体と前記天板との連結は、前記移動体との連結位置から前記天板が下降したときに解除される。
【図面の簡単な説明】
【０００６】
【図１】図１は、本実施形態に係る医用画像診断装置を含む医用画像診断システムの構成を示す図である。
【図２】図２は、本実施形態に係る磁気共鳴イメージング装置の構成を示す図である。
【図３】図３は、本実施形態に係る磁気共鳴イメージングシステムの設置環境の一例を示す図である。
【図４】図４は、本実施形態に係る架台筐体の斜視図である。
【図５】図５は、本実施形態に係る移動式スクリーン装置の斜視図である。
【図６】図６は、図５の移動式スクリーン装置の側面図である。
【図７】図７は、図５の移動式スクリーン装置の正面図である。
【図８】図８は、本実施形態に係る、連結した移動式スクリーン装置と天板との斜視図である。
【図９】図９は、本実施形態に係る、ボア内に配置されたスクリーンの模式的な正面図である。
【図１０】図１０は、図６の支持アームがＺ軸に関してスライドされた移動式スクリーン装置の側面図である。
【図１１】図１１は、本実施形態に係る、架台のボアに配置された移動式スクリーン装置の簡易な側面図である。
【図１２】図１２は、本実施形態に係る移動式スクリーン装置と天板との簡易な側面図である。
【図１３】図１３は、本実施形態に係る移動式スクリーン装置と天板との連結を示す図である。
【図１４】図１４は、本実施形態に係る移動式スクリーン装置と天板との連結の解除を示す図である。
【図１５】図１５は、本実施形態に係る磁気共鳴イメージングシステムを利用したＭＲ検査の典型的な流れを示す図である。
【図１６】図１６は、本実施形態に係る第１の映写形式における移動式スクリーン装置を架台の側方から示す図である。
【図１７】図１７は、本実施形態に係る第１の映写形式における移動式スクリーン装置を架台の正面から示す図である。
【図１８】図１８は、本実施形態に係る第２の映写形式における移動式スクリーン装置を架台の側方から示す図である。
【図１９】図１９は、応用例１に係る移動式スクリーン装置を簡略に示す図である。
【図２０】図２０は、応用例２に係る移動式スクリーン装置を簡略に示す図である。
【図２１】図２１は、応用例３に係る移動式スクリーン装置の側面図である。
【図２２】図２２は、応用例３に係る移動式スクリーン装置と架台との全体の側面図である。
【図２３】図２３は、応用例３に係る光学式カメラが支持アームに取り付けられた移動式スクリーン装置を示す図。
【図２４】図２４は、応用例３に係る光学式カメラがスクリーンに取り付けられた移動式スクリーン装置を示す図。
【図２５】図２５は、応用例５に係る移動式スクリーン装置の側面図である。
【図２６】図２６は、応用例５に係る移動式スクリーン装置と架台との全体の側面図である。
【図２７】図２７は、応用例６に係る移動式スクリーン装置の側面図である。
【図２８】図２８は、本実施形態に係る支持アームのＸＺ断面（水平断面）を示す図である。
【図２９】図２９は、応用例８に係る支持アームのＸＺ断面（水平断面）を示す図である。
【発明を実施するための形態】
【０００７】
ＭＲ検査におけるストレスを軽減するための技術として、次のような技術が考えられる。例えば、１．ゴーグルタイプのヘッドマウントディスプレイ、２．検査室の天井や壁への液晶モニタの設置、３．架台後方に配置された液晶モニタの映像を見るための鏡が取付けられたヘッドコイルがある。しかしながら、１の技術の場合、ヘッドマウントディスプレイを患者の頭部に取り付けることにより患者に圧迫感及び閉塞感を与えてしまう。２の技術の場合、患者が架台内に入ると液晶モニタの映像を見ることができない。３の技術の場合、ＭＲ撮像中はヘッドコイルに装着された鏡を介して映像を見ることができるのでボアによる閉塞感を軽減することができる。しかし、鏡をヘッドコイル毎に取り付けなければならない。また、頭部を覆うヘッドコイルの隙間に鏡が取り付けられているため患者は映像の広がりをあまり感じることができない。また、架台の後方に液晶モニタが設置され架台の前方を隠すものはないため、患者はＭＲ撮像前において架台外にいるときにボアを容易に視認できてしまい、その後にたとえヘッドコイルを付けて鏡を介して映像を見ていてもボア内に居る感覚を拭い去ることはできない。更に、鏡と液晶モニタとの位置関係が天板の移動と共に変わるため、天板の移動中に鏡を介して液晶モニタの映像を見ていても患者はボア内を進む感覚も残存する。
【０００８】
以下、図面を参照しながら本実施形態に係わる医用画像診断装置及び磁気共鳴イメージング装置を説明する。
【０００９】
図１は、本実施形態に係る医用画像診断装置１０を含む医用画像診断システム１の構成を示す図である。図１に示すように、医用画像診断システム１は、互いに有線又は無線で通信可能に接続された医用画像診断装置１０と映写機１００と映写機制御装置２００とを含む。医用画像診断装置１０は、架台１１、寝台１３、移動式スクリーン装置１５及び撮像制御ユニット１７を有する。例えば、架台１１、寝台１３及び移動式スクリーン装置１５は、検査室に設置され、撮像制御ユニット１７は、検査室に隣接する制御室に設置される。架台１１は、医用撮像を実現するための機構を装備する。架台１１には中空形状を有するボアが形成されている。架台１１の前方には寝台１３が設置されている。寝台１３は患者Ｐが載置される天板を移動自在に支持する。寝台１３は架台１１及びコンソール等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【００１０】
映写機制御装置２００は、映写機１００を制御するコンピュータ装置である。映写機制御装置２００は、映写対象の映像に関するデータを映写機１００に供給する。映写機１００は、映写機制御装置２００からのデータに対応する映像を移動式スクリーン装置１５のスクリーンに投影する。映写機１００としては、例えば、液晶方式やＤＬＰ（Digital Light Processing）方式、ＬＣＯＳ（Liquid Crystal On Silicon）方式、ＧＬＶ（Grating Light Valve）方式等が用いられると良い。この場合、映写機１００は、少なくとも表示機器と光源とを搭載する。表示機器は、映写機制御装置２００からのデータに対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１１】
撮像制御ユニット１７は、医用画像診断装置１０の中枢として機能する。例えば、撮像制御ユニット１７は、医用撮像を行うために架台１１を制御する。また、撮像制御ユニット１７は、医用撮像において架台１１により収集された生データに基づいて患者Ｐに関する医用画像を再構成する。なお、撮像制御ユニット１７は、映写機制御装置２００を介して映写機１００を制御可能に構成されても良い。また、撮像制御ユニット１７は、映写対象の映像に関するデータを映写機１００に供給しても良い。この場合、映写機１００は、撮像制御ユニット１７からのデータに対応する映像を移動式スクリーン装置１５のスクリーンに投影する。
【００１２】
なお、本実施形態における医用画像診断システム１の構成は上記のみに限定されない。例えば、上記の映写機制御装置２００による映写機１００を制御する機能を撮像制御ユニット１７が有しているのであれば、映写機制御装置２００は医用画像診断システム１に設ける必要はない。
【００１３】
本実施形態に係る医用画像診断システム１は、映写機１００と移動式スクリーン装置１５とを利用して、医用画像診断装置１０による医用撮像時におけるボア内における居住性を高めることを可能にする。本実施形態に係る医用画像診断装置１０としては、ボアが形成された架台１１を用いて患者Ｐを撮像可能な如何なる装置でも良い。具体的には、本実施形態に係る医用画像診断装置１０としては、磁気共鳴イメージング（ＭＲＩ：Magnetic Resonance Imaging）装置、Ｘ線コンピュータ断層撮影（ＣＴ：Computed Tomography）装置、ＰＥＴ（Positron Emission Tomography）装置及びＳＰＥＣＴ（Single Photon Emission Computed Tomography）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。しかしながら、以下の説明を具体的に行うため、本実施形態に係る医用画像診断装置１０は、磁気共鳴イメージング装置１０であるとする。また、磁気共鳴イメージング装置１０と映写機１００と映写機制御装置２００とを含む医用画像診断システム１を磁気共鳴イメージングシステム１と呼ぶことにする。
【００１４】
図２は、本実施形態に係る磁気共鳴イメージング装置１０の構成を示す図である。図２に示すように、磁気共鳴イメージング装置１０は、撮像制御ユニット１７、架台１１、寝台１３及び移動式スクリーン装置１５を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。
【００１５】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内に本実施形態に係る移動式スクリーン装置１５が配置される。
【００１６】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００１７】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００１８】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００１９】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。
【００２０】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２１】
受信回路２５は、励起された対象原子核から発生されるＭＲ信号をＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２２】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動させる。寝台駆動装置１３５としては、例えば、サーボモータやステッピングモータ等の如何なるモータが用いられても良い。
【００２３】
撮像制御回路３１は、ハードウェア資源として、ＣＰＵ（Central Processing Unit）あるいはＭＰＵ（Micro Processing Unit）のプロセッサとＲＯＭ（Read Only Memory）やＲＡＭ（Random Access Memory）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００２４】
再構成回路３２は、ハードウェア資源として、ＣＰＵやＧＰＵ（Graphical processing unit）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。なお再構成回路３２は、再構成機能を実現する特定用途向け集積回路（Application Specific Integrated Circuit：ＡＳＩＣ）やフィールド・プログラマブル・ゲート・アレイ（Field Programmable Logic Device：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００２５】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００２６】
通信回路３４は、図示しない有線又は無線を介して映写機制御装置２００又は映写機１００との間でデータ通信を行う。また、通信回路３４は、図示しないネットワーク等を介して接続されたＰＡＣＳサーバ等の外部装置との間でデータ通信を行っても良い。また、通信回路３４は、移動式スクリーン装置１５に取り付けられた後述の機器との間でデータ通信を行っても良い。
【００２７】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される映像を表示しても良い。具体的には、表示回路３５は、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２８】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００２９】
主記憶回路３７は、種々の情報を記憶するＨＤＤ（hard disk drive）やＳＳＤ（solid state drive）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００３０】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００３１】
以下、本実施形態の磁気共鳴イメージング装置１０について詳細に説明する。
【００３２】
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。検査室３００には架台１１と寝台１３とが設置されている。架台１１の前方に寝台１３が設けられている。架台１１のボアには移動式スクリーン装置１５が設けられている。検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。制御室４００にはコンソール２７と映写機１００と映写機制御装置２００とが設置されている。映写機１００は、検査室３００と制御室４００との間の壁５００を隔てて架台１１の後方に設置される。壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００３３】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００３４】
次に、図４を参照しながら架台１１の外観について説明する。図４は、本実施形態に係る架台筐体５１の斜視図である。図４に示すように、架台筐体５１には中空形状のボア５３が形成される。架台筐体５１のボア５３の下部には、ボア５３の中心軸Ｚに平行するレール５５が形成されている。レール５５は、天板１３１と移動式スクリーン装置１５との中心軸Ｚに沿うスライドを案内する構造物である。レール５５は、ボア５３に接する架台筐体５１の内壁５７に設けられる。レール５５は、磁気共鳴撮像に利用される磁場に作用しない非磁性材料により形成される。ここで、Ｚ軸に関して寝台側から映写機側に向かう方向を＋Ｚ軸方向に規定し、映写機側から寝台側に向かう方向を−Ｚ軸方向に規定する。
【００３５】
次に図５、図６、図７及び図８を参照しながら移動式スクリーン装置１５の構造について説明する。図５は、本実施形態に係る移動式スクリーン装置１５の斜視図である。図６は、移動式スクリーン装置１５の側面図である。図７は、移動式スクリーン装置１５の正面図である。図８は、連結した移動式スクリーン装置１５と天板１３１との斜視図である。
【００３６】
図５、図６、図７及び図８に示すように、移動式スクリーン装置１５は、移動台車６１、スクリーン６３、支持アーム６５及び反射板６７を有する。移動台車６１は、架台筐体５１の内壁５７に設けられたレール５５に沿って移動する構造体である。移動台車６１の下部には、レール５５における走行性を高めるため、レール５５を転がる車輪（図示せず）が取り付けられている。なお、移動台車６１がレール５５を走行可能であれば、必ずしも車輪が設けられる必要は無く、レール５５に接触する面が低摩擦係数を有する材料により形成されれば良い。移動台車６１とレール５５とは、移動台車６１がボア５３の寝台１３側（−Ｚ側）の端部から映写機１００側（＋Ｚ側）の端部まで移動可能に形成される。移動台車６１の底面は、レール５５に嵌合可能な形状を有すると良い。移動台車６１とレール５５とが係合することにより、移動台車６１がボア５３の端部に配置された状態において外部から架台１１を見た場合、レール５５を目立たなくさせることができる。移動台車６１は、スクリーン６３と支持アーム６５とを支持する。移動台車６１は、樹脂等の磁場に作用しない非磁性材料により形成される。
【００３７】
図５に示すように、移動台車６１には天板１３１に連結するための連結部６９が形成されている。連結部６９により、図８に示すように、移動台車６１と天板１３１とが連結する。天板１３１の前方部（＋Ｚ軸方向側）には患者固定具１３７が取り付けられている。患者固定具１３７は、天板１３１に載置された患者Ｐの頭部を固定する。患者固定具１３７は、天板１３１に仰向けに載置された患者Ｐの視界を遮ることのなく後頭部を覆うことが可能なように湾曲形状を有している。すなわち、患者固定具１３７の前頭部側は開放されている。よって患者固定具１３７は、頭部全体を覆う固定部に比して、患者Ｐの閉塞感を軽減し、また、患者Ｐの視野の狭窄を軽減することができる。患者固定具１３７は、例えば、上記形状を有する金型を用いて樹脂等の非磁性材料により一体的に成型される。
【００３８】
図５、図６、図７及び図８に示すように、スクリーン６３は、移動台車６１に立設されている。スクリーン６３には図示しない映写機１００からの映像が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。上記の通り、映写機１００は、スクリーン６３を挟んで寝台１３とは反対側に配置される。ここで、スクリーン６３の映写機１００側の面を裏面、寝台１３側の面を表面と呼ぶことにする。表面に映像を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から射出された投影光はスクリーンの裏面に照射され、投影光に対応する映像が表面に映し出される。これにより患者Ｐ等は、寝台１３側から、表面に映し出された映像を見ることができる。スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された映像で満たし、映像に没入させることが可能となる。
【００３９】
図９は、ボア５３内に配置されたスクリーン６３の模式的な正面図である。図９に示すように、スクリーン６３は、架台筐体５１のボア５３に接する内壁５７の径ＲＢよりも小さい外径ＲＳを有する。このように外径ＲＳを内径ＲＢよりも小さく設計することにより、移動式スクリーン装置１５をボア５３内に挿入することができる。なお、ボア５３内には架台１１に設けられた換気ファン（図示せず）から風が流れている。スクリーン６３の縁と内壁５７との間に隙間Ｇ１が設けられることにより、換気ファンから送り出される風がスクリーン６３により遮られることを防止することができる。外径ＲＳとしては、例えば、内径ＲＢよりも１０ｍｍから５０ｍｍ小さく設計されると良い。換言すれば、隙間Ｇ１は、１０ｍｍから５０ｍｍに設計されると良い。
【００４０】
図５、図６、図７及び図８に示すように、支持アーム６５は移動台車６１に取り付けられる。後述するように、支持アーム６５は、Ｚ軸方向に関してスライド可能に移動台車６１に取り付けられている。支持アーム６５は、反射板６７をスクリーン６３の表面側の空間に配置するように支持する。反射板６７は、移動台車６１と天板１３１とが連結されている状態において、天板１３１に載置された患者Ｐの頭部にぶつからない程度に、移動台車６１の表面から離間して支持アーム６５により支持される。支持アーム６５は、架台１１の外部からスクリーン６３を見た場合に当該外部観察者の視界を遮らないような形状を有している。当該外部観察者の視界を遮らないため、支持アーム６５は、図５、図６、図７及び図８に示すように、スクリーン６３の輪郭に沿った円弧部分を有する半環形状又は半鞍形状を有すると良い。この場合、支持アーム６５の両端が移動台車６１の側部に取り付けられ、支持アーム６５の円弧部分がスクリーン６３の表面側の空間に位置するように、支持アーム６５が移動台車６１に取り付けられる。なお支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００４１】
図５、図６、図７及び図８に示すように、反射板６７は、支持アーム６５の略最上部に設けられている。反射板６７は、スクリーン６３の表面に映し出された映像を反射する。反射板６７は、非磁性材料により形成され、対象を光学的に反射可能であれば如何なる素材により形成されても良い。例えば、反射板６７としては、アクリルにアルミ蒸着処理を施した鏡や誘電体膜を付着させたハーフミラー等が用いられれば良い。患者固定具１３７に頭部が配置された患者Ｐは、表面に投影された映像を、反射板６７を介して見ることができる。
【００４２】
反射板６７は、患者Ｐにより反射板６７の角度を手動で調整するために、支持アーム６５に回転可能に設けられている。具体的には、支持アーム６５に設けられた回転機構（図示せず）により回転軸ＲＲ１回りに回転可能に設けられている。回転軸ＲＲ１は、例えば、スクリーン６３の表面に対する反射板６７の向きを調節可能なようにＸ軸に平行に設けられる。より詳細には、支持アーム６５は、少なくとも、後述する第１の映写形式のための第１の角度と第２の映写形式のための第２の角度との間で切替可能に設けられると良い。第１の映写形式は、架台１１外から反射板６７を介さずにスクリーン６３の映像を見る形式である。そのため、第１の映写形式における反射板６７の第１の角度は、架台１１外にいる患者Ｐ等の視界を遮らない角度、例えば、略水平に設定されると良い。第２の映写形式はボア５３内において反射板６７を介して映像を見る形式である。そのため、第２の映写形式における反射板の第２の角度は、観察者たる患者Ｐの体格等に応じて、水平と垂直との間の任意の角度に設定されると良い。
【００４３】
反射板６７のＺ軸に関する位置を調節するため、支持アーム６５のスライド機構７１が移動台車６１に設けられると良い。図１０は、図６の支持アーム６５がＺ軸に関してスライドされた移動式スクリーン装置１５の側面を示す図である。図６と図１０とに示すように、スライド機構７１は、支持アーム６５のＺ軸に沿うスライドを案内するガイド６１１が移動台車６１に形成されている。ガイド６１１は、支持アーム６５とスクリーン６３とへの接触を回避するため、移動台車６１の両側面においてＺ軸に沿って設けられている。ガイド６１１は如何なる形態により実現されても良いが、例えば、移動台車６１の側面にＺ軸に沿って設けられた空隙により実現される。図６と図１０とに示すように、支持アーム６５の摺動性を高めるため、支持アーム６５のうちのガイド６１１に面する基部には車輪６５１が設けられると良い。スライド機構７１が設けられることにより、医師や技師、看護士等の医療従事者及び患者Ｐ等が支持アーム６５をＺ軸方向に押したり引いたりすることにより反射板６７をスクリーン６３に対して接近又は離間することができる。これにより、反射板６７のＺ軸方向に関する位置を調節することができる。
【００４４】
なお上記の説明においてスライド機構７１は、移動台車６１に設けられたガイド６１１と支持アーム６５に設けられた車輪６５１とにより実現されるものとした。しかしながら、本実施形態はこれに限定されない。本実施形態に係るスライド機構７１としては、支持アーム６５を移動台車６１に対して相対的にスライド可能であれば如何なる機構であっても良い。例えば、支持アーム６５にＺ軸に沿うガイドが設けられ、当該ガイドを走行する車輪が移動台車６１に設けられても良い。また、スライド機構７１は、ボールネジやスライドレール等により実現されても良い。
【００４５】
図１１は、架台１１のボア５３に配置された移動式スクリーン装置１５の簡易な側面図である。図１１に示すように、移動式スクリーン装置１５の移動台車６１がレール５５にスライド可能に設けられている。典型的には、移動式スクリーン装置１５には駆動装置が搭載されていない。移動式スクリーン装置１５は、寝台駆動装置１３５による天板１３１のスライドに連動してスライドする。なお、移動式スクリーン装置１５は、患者Ｐや医療従事者等により押したり引いたりすることによりＺ軸に関してスライドすることも可能である。
【００４６】
次に、移動式スクリーン装置１５と天板１３１との連結について説明する。図１２は、移動式スクリーン装置１５と天板１３１との簡易な側面図である。なお、図１２において寝台１３の基台１３３の図示は省略している。図１２に示すように、移動式スクリーン装置１５の移動台車６１の寝台側の端部には連結雄部６９が設けられ、天板１３１の架台筐体５１側の端部には連結雄部６９に対応する連結雌部１３９が設けられている。連結雄部６９と連結雌部１３９とは互いに嵌合可能な形状を有している。連結雄部６９と連結雌部１３９とが嵌まり合うことにより移動式スクリーン装置１５と天板１３１とが機械的に連結する。具体的には、連結雄部６９は少なくとも一の鉤爪により実現され、連結雌部１３９は天板１３１の上面に形成された少なくとも一の溝により形成される。鉤爪６９は、移動台車６１に旋回軸ＲＲ２回りに旋回可能に設けられている。より詳細には、鉤爪６９の先端部が移動台車６１から突き出すように基部が移動台車６１に枢設されている。なお、鉤爪６９は、下方（−Ｙ軸方向）への復元力を生じさせるためにバネ（図示せず）を介して移動台車６１に枢設されると良い。
【００４７】
図１３は、移動式スクリーン装置１５と天板１３１との連結を示す図である。移動式スクリーン装置１５と天板１３１との連結は、典型的には、患者Ｐが天板１３１に載置され、天板１３１をボア５３内に挿入する際に行われる。移動式スクリーン装置１５と天板１３１とを連結するため、図１３に示すように、移動式スクリーン装置１５は、移動台車６１の寝台１３側の端面６１０がボア５３の寝台側端ＰＥ１に位置し、鉤爪６９の先端部が寝台側端ＰＥ１から突き出るように配置される。なお、鉤爪６９の先端部が寝台側端ＰＥ１から突き出るのであれば、移動台車６１は、端面６１０が寝台側端ＰＥ１に厳密に一致している必要は無く、端面６１０が寝台側端ＰＥ１よりも寝台側に配置されても、ボア５３の内側に配置されても良い。
【００４８】
まず、図１３に示すように、鉤爪６９の先端部が天板１３１の溝１３９の真上に位置するように天板１３１が移動される。そして天板１３１を上昇させることにより溝１３９に鉤爪６９が嵌まり合う。これにより移動式スクリーン装置１５と天板１３１とを連結することができる。連結状態において寝台駆動装置１３５の動力により天板１３１をスライドすることにより、自己の動力源を有しない移動式スクリーン装置１５を天板１３１のスライドに連動してスライドさせることができる。なお、天板１３１の移動は、例えば、ユーザによる入力回路３６を介した指示に従い寝台駆動装置１３５により行われる。このように本実施形態によれば、天板１３１を上昇させるだけの簡単な操作により、天板１３１と移動式スクリーン装置１５とを連結することができる。なお、天板１３１の上昇は、ＭＲ撮像のために患者Ｐをボア５３内に挿入するために行われる操作である。すなわち、追加の工程を設けることなく、天板１３１と移動式スクリーン装置１５とを連結することができる。
【００４９】
なお、寝台１３の機械的誤差等により溝１３９と鉤爪６９とにＺ軸方向に関する位置ずれが生じ、天板１３１を上昇しても溝１３９が鉤爪６９に嵌まり合わない場合がある。この場合、天板１３１の上昇後、天板１３１を移動式スクリーン装置１５に向けてスライドすると良い。天板１３１のスライドによる鉤爪６９への押圧により天板１３１が鉤爪６９を上方に押し退ける。上方に押し退けられた鉤爪６９は下方への復元力を生じることとなり、天板１３１を更にスライドさせることにより鉤爪６９を溝１３９に嵌めることができる。このように本実施形態によれば、たとえ天板１３１の上昇により天板１３１と移動式スクリーン装置１５とを連結できない場合であっても、天板１３１のスライドのみにより天板１３１と移動式スクリーン装置１５とを連結することができる。
【００５０】
図１４は、移動式スクリーン装置１５と天板１３１との連結の解除を示す図である。図１４に示すように、移動式スクリーン装置１５と天板１３１との連結を解除する場合、移動台車６１の端面６１０が寝台側端ＰＥ１に位置するように、天板１３１がボア５３の外側までスライドされる。次に天板１３１が下降される。鉤爪６９は溝１３９に対し水平方向（Ｚ軸方向及びＸ軸方向）に介しては固定されているが鉛直方向（Ｙ軸方向）に対しては固定されていない。よって、天板１３１を下降させることにより移動式スクリーン装置１５と天板１３１との連結を簡易に解除することができる。
【００５１】
なお、天板１３１と移動式スクリーン装置１５との連結形態は上記のみに限定されない。天板１３１の上昇により天板１３１と移動式スクリーン装置１５とが連結され、天板１３１の下降により天板１３１と移動式スクリーン装置１５とが連結解除されるのであれば、如何なる形態により連結されても良い。また、手動的又は機械的にＯＮとＯＦＦとを切り替え可能な、天板１３１と移動式スクリーン装置１５とによる連結のロック機構が設けられても良い。
【００５２】
次に、本実施形態に係る磁気共鳴イメージングシステムの動作例について説明する。図１５は、本実施形態に係る磁気共鳴イメージングシステムを利用したＭＲ検査の典型的な流れを示す図である。
【００５３】
図１５に示すように、まず、患者Ｐの検査室への入室に先立ち、医療従事者等が移動式スクリーン装置１５をボア５３の寝台側端ＰＥ１に配置する（ステップＳ１）。移動式スクリーン装置１５がボア５３の寝台側端ＰＥ１に配置されることにより、患者Ｐが架台１１の外側から当該架台１１を見たときにボア５３が視界に入ることを防ぐことができる。
【００５４】
ステップＳ１が行われると映写機制御装置２００は、所定の映像を移動式スクリーン装置１５に投影するように映写機１００を制御する（第１の映写形式Ｐ１）。移動式スクリーン装置１５がボア５３の寝台側端ＰＥ１に配置されている状態において映像を当該移動式スクリーン装置１５に投影する形式を第１の映写形式Ｐ１と呼ぶことにする。映写機１００により映像を投影するため、医療従事者は、まず映写機制御装置２００の入力回路を介して映写指示を入力する。映写指示を受けて映写機制御装置２００は、所定の映像の画像データを映写機１００に送信する。画像データを受信すると映写機１００は、受信された画像データに対応する映像を、移動式スクリーン装置１５のスクリーン６３に投影する。映像は、動画であっても良いし静止画であっても良い。映像の内容は特に限定しない。例えば、映像は、リラックス効果のある動画又は静止画であっても良いし、検査時の注意や検査終了時までの時刻等の検査支援情報等であっても良い。
【００５５】
第１の映写形式Ｐ１による映像の投影が開始されると患者Ｐが検査室に入室する（ステップＳ２）。
【００５６】
図１６は、第１の映写形式Ｐ１における移動式スクリーン装置１５を架台１１の側方から示す図である。図１７は、第１の映写形式Ｐ１における移動式スクリーン装置１５を架台１１の正面から示す図である。図１６と図１７とに示すように、第１の映写形式Ｐ１において移動式スクリーン装置１５は、例えば、移動台車６１の端面６１０がボア５３の寝台側端ＰＥ１に位置するように配置される。これにより、スクリーン６３がボア５３の寝台側端ＰＥ１又はその近傍（以下、寝台側端部と呼ぶ）に配置される。なお、第１の映写形式Ｐ１においてスクリーン６３が配置される寝台側端部は、ボア５３の外からスクリーン６３を見た場合にボア５３の内部を意識させないのであれば、ボア５３の寝台側端ＰＥ１からボア５３の内側に配置されても良いし、ボア５３の外側に配置されても良い。寝台側端部に配置されることにより、スクリーン６３がボア５３を塞ぐので患者Ｐがボア５３の内部を見ることを防止することができる。また、この時、スクリーン６３に映像ＰＩが映し出されているので、ボア５３が検査空間であるという患者Ｐの認識を鈍らせ、ボア５３内へ入り込むことへの恐怖感を和らげることができる。
【００５７】
第１の映写形式Ｐ１において、架台１１外部からのスクリーン６３の視認性を高めるため、反射板６７は、患者Ｐ等の視界を遮ることのない角度で保持されていると良い。例えば、上記の通り、反射板６７の回転軸ＲＲ１回りの角度は支持アーム６５により略水平に維持されると良い。なお、第１の映写形式Ｐ１における反射板６７の角度は略水平に限定されず、患者Ｐの体格等に応じて任意の角度に決定されれば良い。
【００５８】
ステップＳ２が行われ移動式スクリーン装置１５に投影された映像を見ると患者Ｐが天板に載置される（ステップＳ３）。ステップＳ３において患者Ｐの頭部は天板１３１の患者固定具１３７により固定される。
【００５９】
ステップＳ３が行われると天板１３１が上昇され、天板１３１と移動式スクリーン装置１５とが連結される（ステップＳ４）。具体的には、ステップＳ４において医療従事者は、架台１１又は寝台１３に設けられた上昇ボタンを押下する。上昇ボタンの押下を受けて撮像制御回路３１は、天板１３１の上昇に対応する電気信号（以下、上昇信号と呼ぶ）を寝台駆動装置１３５に供給する。上昇信号を受けた寝台駆動装置１３５は、天板１３１をＹ軸方向に上昇する。天板１３１を上昇すると、上記の通り、天板１３１の溝１３９と移動式スクリーン装置１５の鉤爪６９が嵌まり合い天板１３１と移動式スクリーン装置１５とが連結する。移動式スクリーン装置１５と天板１３１とが連結している状態において映像を当該移動式スクリーン装置１５に投影する形式を第２の映写形式Ｐ２と呼ぶことにする。
【００６０】
ステップＳ４が行われると第１の映写形式Ｐ１による投影が終了される。なお、第１の映写形式Ｐ１による映像の投影は、必ずしも天板１３１と移動式スクリーン装置１５との連結（Ｓ４）が行われた後に終了される必要はない。例えば、患者Ｐが天板に載置されてから天板１３１と移動式スクリーン装置１５とが連結されるまでの間に第１の映写形式Ｐ１による映像の投影が終了しても良い。なお、映写機１００は、映写機制御装置２００から映写停止信号の供給を受けて映像の投影を終了する。映写機制御装置２００は、例えば、医療従事者による入力回路等を介した映像停止指示を受けて当該映写停止信号を映写機１００に供給する。
【００６１】
ステップＳ４が行われると映写機制御装置２００は、所定の映像を移動式スクリーン装置１５に投影するように映写機１００を制御する（第２の映写形式Ｐ２）。具体的には、医療従事者は、映写機制御装置２００の入力回路を介して映写指示を入力する。映写指示を受けて映写機制御装置２００は、所定の映像の画像データを映写機１００に送信する。画像データを受信すると映写機１００は、受信された画像データに対応する映像を、移動式スクリーン装置１５に投影する。映像は、第１の映写形式Ｐ１において投影した映像と同一であっても良いし異なっても良い。
【００６２】
第２の映写形式Ｐ２による映像の投影が開始されると天板１３１がボア５３内に挿入される（ステップＳ５）。ステップＳ５において医療従事者は、架台１１又は寝台１３に設けられた挿入ボタンを押下する。挿入ボタンの押下を受けて撮像制御回路３１は、天板１３１の挿入に対応する電気信号（以下、挿入信号と呼ぶ）を寝台駆動装置１３５に供給する。挿入信号を受けた寝台駆動装置１３５は、天板１３１を＋Ｚ軸方向にスライドする。天板１３１と移動式スクリーン装置１５とが連結しているので、天板１３１のスライドに連動して移動式スクリーン装置１５も＋Ｚ方向にスライドする。医療従事者は、天板１３１が撮影位置までスライドすると挿入ボタンの押下を終了し、天板を停止させる。
【００６３】
図１８は、第２の映写形式Ｐ２における移動式スクリーン装置１５を架台１１の側方から示す図である。図１８に示すように、第２の映写形式Ｐ２において天板１３１に載置された患者Ｐは、スクリーン６３の表面に映し出された映像を反射板６７を介して見ることができる。天板１３１と移動式スクリーン装置１５とが連結しているため、移動式スクリーン装置１５のＺ軸方向のスライドに関わらず患者Ｐとスクリーン６３との距離は一定に保たれる。よってスクリーン６３に映し出される映像への没入感を高め、ボア５３内での閉塞感を和らげることができる。第２の映写形式Ｐ２による映像の投影はステップＳ４の終了時からＳ７の終了時まで継続される。
【００６４】
ステップＳ５が行われるとＭＲ撮像が行われる（ステップＳ６）。ステップＳ６において医療従事者は、ＭＲ撮像の開始ボタンを押下する。開始ボタンが押下されると撮像制御回路３１は、予め設定された撮像シーケンスに従い傾斜磁場電源２１、送信回路２３及び受信回路２５を同期的に制御し、ＭＲ撮像を実行する。ＭＲ撮像により患者Ｐに関するＭＲ信号が受信回路２５により収集され、再構成回路３２によりＭＲ信号に基づいてＭＲ画像が再構成される。ＭＲ撮像の間、患者Ｐはスクリーン６３に映し出された映像を、反射板６７を介して鑑賞することができる。よって比較的長時間に及ぶＭＲ撮像時においてもボア５３内で快適に過ごすことができる。
【００６５】
ステップＳ６が行われＭＲ撮像が終了すると天板１３１がボア５３外に退避される（ステップＳ７）。ステップＳ７において医療従事者は、架台１１又は寝台１３に設けられた退避ボタンを押下する。退避ボタンの押下を受けて撮像制御回路３１は、天板１３１の退避に対応する電気信号（以下、退避信号と呼ぶ）を寝台駆動装置１３５に供給する。退避信号を受けた寝台駆動装置１３５は、天板１３１を−Ｚ軸方向にスライドする。天板１３１が架台１１外までスライドされると移動式スクリーン装置１５はボア５３の寝台側端ＰＥ１に配置されることとなる。天板１３１をボア５３外に移動させている間にも患者Ｐは、スクリーン６３に映し出された映像を、反射板６７を介して鑑賞し続けることができる。
【００６６】
ステップＳ７が行われると第２の映写形式Ｐ２での映像の投影が終了される。例えば、医療従事者等は、映写機制御装置２００の入力回路を介して映写停止指示を入力する。映写停止指示を受けて映写機制御装置２００は、停止信号を映写機１００に供給する。停止信号を受けた映写機１００は、映像の投影を終了する。
【００６７】
ステップＳ７が行われると天板１３１が下降され、天板１３１と移動式スクリーン装置１５との連結が解除される（ステップＳ８）。具体的には、ステップＳ８において医療従事者は、架台１１又は寝台１３に設けられた下降ボタンを押下する。下降ボタンの押下を受けて撮像制御回路３１は、天板１３１の下降に対応する電気信号（以下、下降信号と呼ぶ）を寝台駆動装置１３５に供給する。下降信号を受けた寝台駆動装置１３５は、天板１３１をＹ軸方向に下降する。天板１３１を下降すると、上記の通り、天板１３１の溝１３９から移動式スクリーン装置１５の鉤爪６９が外れ天板１３１と移動式スクリーン装置１５との連結が解除される。天板１３１が初期位置まで下降されると医療従事者は、下降ボタンの押下を終了する。
【００６８】
その後、患者Ｐは天板１３１を降り検査室を退室する。
【００６９】
以上により、本実施形態に係る磁気共鳴イメージングシステム１の動作例についての説明を終了する。
【００７０】
なお、上記のＭＲ検査の流れは一例であり本実施形態に係る磁気共鳴イメージングシステム１の動作例上記流れに限定されない。例えば、上記の流れにおいては、天板１３１を初期位置からボア５３内の撮影位置まで移動するため上昇ボタンと挿入ボタンとを個別に押下するものとした。しかしながら、本実施形態はこれに限定されない。例えば、天板１３１の上昇と挿入とを一括で指示する自動挿入ボタンが押下されても良い。また、上記の流れにおいては、天板１３１をボア５３内から初期位置まで移動するため退避ボタンと下降ボタンとを個別に押下するものとした。しかしながら、本実施形態はこれに限定されない。例えば、天板１３１の退避と下降とを一括で指示する自動退避ボタンが押下されても良い。
【００７１】
上記の説明の通り、本実施形態に係る医用画像診断装置１０は、架台１１、レール５５、寝台１３及び移動式スクリーン装置１５を有する。架台１１は、ボア５３を有し、医用撮像機構を装備する。レール５５は、架台１１のボア５３に面する内壁５７においてボア５３の中心軸Ｚに平行に設けられる。寝台１３は、レール５５に沿って天板１３１を移動させる。また、ボア５３の内壁５７には移動式スクリーン装置１５が設けられる。移動式スクリーン装置１５は、移動台車６１、スクリーン６３、反射板６７及び支持アーム６５を有する。移動台車６１は、天板１３１とは別個に設けられ、レール５５に沿って移動可能に設けられている。スクリーン６３は、移動台車６１に立設され、映写機１００からの映像が投影される。反射板６７は、スクリーン６３に投影された映像を反射する。支持アーム６５は、移動台車６１に設けられ、反射板６７を支持する。
【００７２】
上記の構成により本実施形態に係る医用画像診断装置１０は、移動式スクリーン装置１５がボア５３の寝台側端ＰＥ１に配置された状態において移動式スクリーン装置１５に映像を投影する第１の映写形式と、天板１３１と移動式スクリーン装置１５とが連結した状態において移動式スクリーン装置１５に映像を投影する第２の映写形式とを実現することができる。第１の映写形式による映像の投影は患者Ｐが天板１３１に載置される前に行われる。第１の映写形式は、スクリーン６３でボア５３を塞ぎつつスクリーン６３に映像を投影することができる。よってボア５３外にいる患者Ｐは、ボア５３内を視認することなく、スクリーン６３に映し出された映像を見ることができる。第２の映写形式による映像の投影は患者Ｐが天板１３１に載置され、天板１３１と移動式スクリーン装置１５とが連結している状態において行われる。典型的には、ＭＲ撮像のため天板１３１に載置された患者Ｐがボア５３内に挿入されている時に行われる。
【００７３】
上記の説明の通り、移動式スクリーン装置１５はスクリーン６３と反射板６７とを有し、患者Ｐの頭部の後方はスクリーン６３が配置され、患者Ｐの前方にはスクリーン６３に投影された映像を反射する反射板が配置される。第２の映写形式においては天板１３１と移動式スクリーン装置１５とが連結しているので、天板１３１の移動に関わらずスクリーン６３と反射板６７との間の距離を一定に保つことできる。よって常に一定のサイズの映像を反射板６７に映し出すことができる。また、本実施形態によれば、ヘッドコイル又はヘッドマウントディスプレイ等の患者Ｐの頭部を覆う構造物を装着する必要がないため患者Ｐは、閉塞感を感じること無く且つ広い視界のもとで映像を見ることができる。また、ヘッドコイルに反射板６７を装着する場合に比して、撮影部位やコイル形状に応じて移動式スクリーン装置１５を設ける必要もない。
【００７４】
上記の通り、第１の映写形式と第２の映写形式とを続けて行うことにより、患者Ｐは検査室に入室してから一度もボア５３内を視認することなくＭＲ撮像を終えることが可能となる。よって患者Ｐは、ボア５３を意識することがないので、ボア５３を視認してからボア５３内で映像を見る場合に比して、ＭＲ撮像中の閉塞感を感じず映像を楽しむことできる。また、第１の映写形式においてはボア５３の入口である寝台側端部にスクリーン６３が配置され当該スクリーン６３に映像が投影されるので、ボア５３を映像投影空間として患者Ｐに意識させることができる。よって天板１３１のボア５３への挿入時における患者Ｐの不安感を軽減させることもできる。
【００７５】
かくして本実施形態によれば、架台１１のボア内の居住性を向上することが可能となる。
【００７６】
（応用例１）
上記の実施形態において支持アーム６５はスライド機構によりスライド可能に支持されるものとした。しかしながら、本実施形態はこれに限定されない。例えば、支持アーム６５はリンク機構により旋回可能に設けられても良い。
【００７７】
図１９は、応用例１に係る移動式スクリーン装置１５を簡略に示す図である。図１９に示すように、移動台車６１にはリンク機構７３が設けられている。リンク機構７３は、旋回軸ＲＲ３に沿って旋回可能に支持アーム６５を支持する。旋回軸ＲＲ３は、支持アーム６５を移動台車６１に向けて倒したり起こしたりすることを可能にするため、Ｘ軸に平行に設けられると良い。これにより第１の映写形式においては支持アーム６５を移動台車６１に向けて倒すことができる。支持アーム６５を倒すことにより、反射板６７と支持アーム６５が患者Ｐの視界を遮ることを防ぐことができる。また、第２の映写形式においては支持アーム６５を移動台車６１から起こすことができる。支持アーム６５を起こすことにより、天板１３１に載置された患者Ｐ等は反射板６７を介してスクリーン６３に投影された映像を見ることが可能となる。
【００７８】
（応用例２）
上記の実施形態において支持アーム６５はスライド機構又はリンク機構により支持されるものとした。しかしながら、本実施形態はこれに限定されない。例えば、支持アーム６５は、スライド機構とリンク機構との両方により支持されても良い。
【００７９】
図２０は、応用例２に係る移動式スクリーン装置１５を簡略に示す図である。図２０に示すように、支持アーム６５は、第１のリンク機構７３とスライド機構７１との両方により支持されている。例えば、支持アーム６５が第１のリンク機構７３により旋回軸ＲＲ３回りに旋回可能に支持され、第１のリンク機構７３がスライド機構７１によりＺ軸に関してスライド可能に移動台車６１に支持されると良い。また、支持アーム６５は、第２のリンク機構７５により折畳み可能に構成される。この場合、支持アーム６５は、反射板６７が回転軸ＲＲ１回りに回転可能に設けられた第１のアーム６５３と、第１のリンク機構７３を介して移動台車６１に接続される第２のアーム６５５とを有し、第１のアーム６５３と第２のアーム６５５とが第２のリンク機構７５により第２の旋回軸ＲＲ４回りに旋回可能に接続される。このように支持アーム６５は、第２のリンク機構７５により折畳み可能に構成されている。支持アーム６５が第２のリンク機構７５を装備することにより、支持アーム６５をコンパクトに収納し、反射板６７の位置決めの自由度を向上することが可能となる。
【００８０】
また、より支持アーム６５をコンパクトに収納し、反射板６７の位置決めの自由度をより向上するため、更なるスライド機構又はリンク機構を組み合わせることにより支持アーム６５の可動の自由度をより多くすることも可能である。
【００８１】
（応用例３）
図２１は、応用例３に係る移動式スクリーン装置１５の側面図である。図２２は、応用例３に係る移動式スクリーン装置１５と架台１１との全体の側面図である。図２１と図２２とに示すように、応用例３に係る移動式スクリーン装置１５には、天板１３１に載置された患者Ｐを撮影するための光学式カメラ８０が設けられている。
【００８２】
図２２に示すように、光学式カメラ８０は、対物レンズ８１と光ファイバ８３とを有する。光学式カメラ８０はＣＣＤ（Charge-coupled device）に接続されている。対物レンズ８１と光ファイバ８３とは非磁性材料により形成される。対物レンズ８１は、天板１３１に載置された患者Ｐの顔に面するように反射板６７に設けられる。より詳細には、光学式カメラ８０は、反射板６７を見ている患者Ｐの視界に入らないように、反射板６７の側面部等に設けられると良い。対物レンズ８１は、患者Ｐからの光を収束又は発散する。光ファイバ８３は、対物レンズ８１からの光を導く光導波路である。光ファイバ８３は、対物レンズ８１からの光を、架台１１外部に設けられたＣＣＤ８５に導くため、対物レンズ８１とＣＣＤ８５とを接続する。光ファイバ８３は、レール５５又は架台筐体５１の内壁５７の表面に取り付けられても良いし、レール５５又は架台筐体５１の内部に埋設されても良い。ＣＣＤ８５は、光ファイバ８３からの光を受光し、当該光を電気信号に変換する複数の受光素子を有する。ＣＣＤ８５は、複数の受光素子からの電気信号に基づいて、患者Ｐの顔が描出された光学画像データを発生する。
【００８３】
なお、対物レンズ８１とＣＣＤ８５とを結ぶ光ファイバ８３は剛性を有しているので、移動式スクリーン装置１５のスライドに伴い光ファイバ８３が破損する虞がある。これを防止するため、例えば、移動式スクリーン装置１５のスライドに関わらず、光ファイバ８３が一定の曲率を保持したまま対物レンズ８１とＣＣＤ８５とを接続可能な機構が設けられても良い。
【００８４】
光学画像データは通信回路３４を介してコンソール２７に供給される。供給された光学画像データに対応する光学式画像は表示回路３５により表示される。医療従事者等は、光学式画像を観察することによりＭＲ撮像中の患者Ｐを監視することができる。
【００８５】
上記の通り、本実施形態において光学式カメラ８０は、ボア５３内に配置された移動式スクリーン装置１５に設けられるので、架台１１外に設けられた従来の監視用カメラに比して、より患者Ｐに近い位置に設けられることとなる。これにより、例えば、架台１１内の患者Ｐの表情を撮影することができるので、ＭＲ撮像中における患者Ｐの様子を正確に捉えることが可能となる。
【００８６】
なお、光学式カメラ８０、より詳細には、対物レンズ８１は、反射板６７に設けられるとしたが、本実施形態はこれに限定されず、患者Ｐの顔を撮影できるのであれば、図２３に示すように、支持アーム６５に設けられても良い。また、光学式カメラ８０、より詳細には、対物レンズ８１は、図２４に示すように、スクリーン６３に設けられても良い。スクリーン６３に対物レンズ８１が設けられた場合、スクリーン６３と患者Ｐの頭部との位置関係により、対物レンズ８１を患者Ｐの頭部に正対させることは困難である。従って対物レンズ８１は、患者Ｐの頭部を反射板６７を介して映すことが可能なようにスクリーン６３の端部に設けられると良い。
【００８７】
（応用例４）
上記応用例３において光学式カメラ８０は患者Ｐの監視のために使用されるものとした。しかしながら、本実施形態はこれに限定されない。応用例４においては光学式カメラ８０を患者Ｐの体動情報の収集に使用するものとする。応用例４においても光学式カメラ８０は、体動の収集対象の部位を撮影可能に、反射板６７、スクリーン６３又は支持アーム６５に設けられると良い。なお、体動情報は、患者Ｐの体動に伴い変化する任意点等の位置情報である。光学式カメラ８０により撮影される光学画像は、患者Ｐの体動に伴い変化する上記特徴点の位置情報を含んでいる。
【００８８】
応用例４において画像処理回路３３は、光学式カメラ８０により撮影された光学画像を利用して再構成画像の体動補正を行う。例えば、画像処理回路３３は、時系列の光学画像の特徴点の位置を時系列で追跡し、特徴点の移動量を算出する。特徴点としては、光学画像に描出された患者Ｐの顎や額、頸椎、患者Ｐに付されたマーカ等の任意の部位に設定可能である。そして画像処理回路３３は、算出された移動量に従い再構成画像を座標変換することにより体動が補正された画像を発生する。
【００８９】
なお、応用例４においては体動情報を光学式カメラ８０により収集するものとした。しかしながら、本実施形態はこれに限定されない。例えば、光学式センサ、超音波センサ、加速度センサにより患者Ｐの任意点の体動情報が収集されても良い。また、応用例４に係る光学式カメラは、応用例３に係る患者Ｐの監視用のカメラとは別個に設けられても良い。
【００９０】
（応用例５）
図２５は、応用例５に係る移動式スクリーン装置１５の側面図である。図２６は、応用例５に係る移動式スクリーン装置１５と架台１１との全体の側面図である。
【００９１】
図２５と図２６とに示すように、応用例５に係る移動式スクリーン装置１５にはマイクロホン９１が設けられている。マイクロホン９１は、例えば、患者Ｐから発せられた声を集音するために設けられる。例えば、マイクロホン９１は、反射板６７に取り付けられる。マイクロホン９１は、ケーブル９３を介して、ボア５３外に設けられた増幅器９５に接続される。マイクロホン９１は、例えば、振動板と変換器とを有し、音による振動板の振動を変換器により電気信号（音声信号）に変換する。音声信号は、ケーブルを介して変換器に供給され、変換器により増幅される。変換器により増幅された音声信号は、有線又は無線を介してコンソール２７に伝送される。伝送された音声信号は、コンソール２７に設けられたスピーカ等を介して音声として発せられる。これにより患者Ｐの音声を制御室等にいる医療従事者に伝達することができる。
【００９２】
本実施形態に係るマイクロホン９１は、非磁性であれば如何なる型式のものであっても良い。しかしながら、本実施形態に係るマイクロホン９１としては、例えば、高感度且つ非磁性の光マイクロホンが好適である。
【００９３】
上記の例においてマイクロホン９１は、反射板６７に設けられるとしたが、患者Ｐの音声を集音することができるのであれば如何なる場所に設けられても良い。例えば、マイクロホン９１は、支持アーム６５又はスクリーン６３等、移動式スクリーン装置１５の他の構造物に設けられると良い。
【００９４】
また、本実施形態に係るマイクロホン９１は、患者Ｐの声を集音する用途に限定されない。例えば、本実施形態に係るマイクロホン９１は、ノイズキャンセリングに利用されるための、架台１１の駆動音を集音するために用いられても良い。
【００９５】
（応用例６）
図２７は、応用例６に係る移動式スクリーン装置１５の側面図である。図２７に示すように、応用例６に係る移動式スクリーン装置１５にはスピーカ９７が設けられている。具体的には、スピーカ９７は、患者Ｐの頭部に近い位置に配置された支持アーム６５に設けられると良い。スピーカ９７は、様々な用途に応じた音を発生する。
【００９６】
スピーカ９７は、有線又は無線を介して映写機制御装置２００に接続されている。この場合、スピーカ９７は、例えば、映写機１００から移動式スクリーン装置１５に投影される映像に対応する、映写機制御装置２００から伝送された音声を発すると良い。音声を聞きながら映像を見ることができるので、ボア５３内をより快適に過ごすことができる。
【００９７】
また、スピーカ９７は、有線又は無線を介してコンソール２７に接続されても良い。この場合、スピーカ９７は、コンソール２７に設けられたマイクロホンにより集音された医療従事者の音声を発しても良い。これによりＭＲ撮像中においても医療従事者の指示等を患者Ｐに伝えることができる。
【００９８】
なお、患者Ｐとの意思疎通を図るため、応用例６のスピーカ９７と応用例５のマイクロホン９１とを組み合わせると良い。応用例６のスピーカ９７と応用例５のマイクロホン９１とを移動式スクリーン装置１５に設けることにより、例えば、患者Ｐと医療従事者とが会話をすることができる。また、患者Ｐが小児の場合、ボア５３内にいる患者Ｐと制御室にいる親とが会話をすることもできる。これにより、例えば、小児である患者Ｐのボア５３内での不安感を軽減することができる。
【００９９】
また、ノイズキャンセリングを行うため、応用例６のスピーカ９７と応用例５のマイクロホン９１とを組み合わせると良い。この場合、マイクロホン９１により架台１１の駆動音を集音し、当該駆動音に対応する電気信号がコンソール２７に伝送される。システム制御回路３８は、当該駆動音の音声信号を解析し当該駆動音の逆位相を算出する。そしてシステム制御回路３８は、当該駆動音の逆位相の音声信号（以下、キャンセル信号と呼ぶ）を生成する。通信回路３４は、キャンセル信号をスピーカ９７に伝送する。スピーカ９７は、伝送されたキャンセル信号を音波（以下、キャンセル音と呼ぶ）に変換して出力する。架台１１の駆動音の位相とキャンセル音の位相とは逆位相の関係にあるので、患者Ｐの頭部の周囲の空間においては駆動音がキャンセル音により打ち消される。本実施形態においては架台１１内に設けられた移動式スクリーン装置１５にマイクロホン９１とスピーカ９７とが設けられているので、患者Ｐの周囲を伝播する駆動音をより高精度に打ち消すことができる。よって、駆動音による患者Ｐの不快感を軽減することができる。
【０１００】
（応用例７）
第１の映写形式において支持アーム６５はスクリーン６３の前方（寝台１３側）に位置する。そのため、架台１１外側にいる患者Ｐからスクリーン６３の映像を見ると、支持アーム６５により視界が遮られる虞がある。また、第２の映写形式において映写機１００から射出された投影光の一部（以下、余剰光と呼ぶ）はスクリーン６３に照射されず、架台筐体５１の内壁５７との隙間を抜けてスクリーン６３の前方に位置する内壁５７の部分に照射される。当該内壁５７部分には余剰光に対応する映像（以下、余剰映像と呼ぶ）が映し出される。しかし、当該内壁５７部分と患者Ｐの頭部との位置関係によっては、支持アーム６５により遮られて余剰映像が患者Ｐの視界に入らない場合がある。これら問題を解消するため、支持アーム６５の一部又は全体が透明に形成されると良い。これにより、第１の映写形式においては支持アーム６５がスクリーン６３に映し出された映像の視認を妨げることを防止し、第２の映写形式においては支持アーム６５が当該内壁５７部分に映し出された余剰映像の視認を妨げることを防止することができる。
【０１０１】
（応用例８）
図２８は、本実施形態に係る支持アーム６５のＸＺ断面（水平断面）を示す図である。なお、図２８において天板１３１と移動台車６１とが図示されているが、これは支持アーム６５の位置関係を明確にするものであり、実際、支持アーム６５は天板１３１及び移動台車６１と同じ高さにはない。図２８に示すように、支持アーム６５の水平断面が矩形形状を有する場合、患者Ｐに向き合いＸ軸に直交する面６５Ａが患者Ｐの視界に入ることとなる。この場合、支持アーム６５の映写機１００に向き合いＺ軸に直交する面６５Ｂに投影光が照射され、支持アーム６５の面６５Ａに投影光は照射されない。そのため患者Ｐにとって面６５Ａが暗く視認されてしまう。
【０１０２】
図２９は、応用例８に係る支持アーム６５’のＸＺ断面（水平断面）を示す図である。図２９において天板１３１と移動台車６１とが図示されているが、これは支持アーム６５’の位置関係を明確にするものであり、実際、支持アーム６５’は天板１３１及び移動台車６１と同じ高さにはない。図２９に示すように、応用例８に係る支持アーム６５’は、映写機１００からの投影光を、支持アーム６５’により囲まれる内側空間ＲＩ１に向けて反射可能な形状を有する。具体的には、支持アーム６５’の映写機１００に向かう面６５’Ａを内側空間ＲＩ１に向けてＸ軸に対して傾くように、支持アーム６５’が形成されると良い。例えば、支持アーム６５’は、図２９に示すように、水平断面が三角形状を有するように形成されると良い。この場合、面６５’Ａが患者Ｐの視界に入ることとなるが、面６５’ＡがＸ軸に対して傾いているので、当該面６５’Ａは映写機１００からの投影光を患者Ｐに向けて反射することができる。このため患者Ｐは面６５’Ａに映る余剰映像を視認することが可能となる。
【０１０３】
（応用例９）
上記実施形態においては映写機１００から射出された投射光が直接的にスクリーン６３に照射されるものとした。しかしながら、本実施形態はこれに限定されない。例えば、以下の形態が考えられる。映写機制御装置２００と光ファイバの一端（以下、入口端と呼ぶ）が接続され、他端（以下、出口端と呼ぶ）が非磁性の映写機１００に接続される。非磁性の映写機１００は、射出口がスクリーン６３に向くように、移動式スクリーン装置１５に含まれる移動台車６１、支持アーム６５又は反射板６７のうちのスクリーン６３の前方側（寝台１３側）部分に取り付けられる。上記構成により、映写機制御装置２００から当該光ファイバを介して映写機１００に伝送された画像データに対応する投射光をスクリーン６３の表面（寝台１３側の面）に照射することが可能となる。これにより、映像を常に一定のサイズでスクリーン６３に映し出すことができる。
【０１０４】
（応用例１０）
上記実施形態においては、第１の映写形式の場合、ボア５３の寝台側端ＰＥ１に設置された移動式スクリーン装置１５のスクリーン６３に映写機１００からの映像が投影されるものとした。しかしながら、本実施形態はこれに限定されない。例えば、架台筐体５１の寝台１３側の壁面においてボア５３を塞ぐように別のスクリーンを配置し、当該スクリーンに映写機１００から映像を投影しても良い。この場合、移動式スクリーン装置１５は、映写機１００からの投影光を遮らないよう、ボア５３外に退避されると良い。あるいは、移動式スクリーン装置１５をボア５３外に退避せずに、他の映写機１００から当該スクリーンに映像を投影しても良い。また、第１の映写形式における映像の被投影対象はスクリーンのみに限定されない。例えば、空間結像装置により、ボア５３の寝台側端ＰＥ１の空間に、ボア５３を塞ぐように映像を映し出しても良い。
【０１０５】
以上述べた少なくとも１つの実施形態の医用画像診断装置及び磁気共鳴イメージング装置によれば、架台のボア内の居住性を向上することができる。
【０１０６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１０７】
１…医用画像診断システム（磁気共鳴イメージングシステム）、１０…医用画像診断装置（磁気共鳴イメージング装置）、１１…架台、１３…寝台、１５…移動式スクリーン装置、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台筐体、５３…ボア、５５…レール、５７…内壁、６１…移動台車、６３…スクリーン、６５…支持アーム、６５’…支持アーム、６７…反射板、６９…連結雄部（鉤爪）、７１…スライド機構、７３…リンク機構、７５…リンク機構、８０…光学式カメラ、８１…対物レンズ、８３…光ファイバ、９１…マイクロホン、９３…ケーブル、９５…増幅器、９７…スピーカ、１００…映写機、１３１…天板、１３３…基台、１３５…寝台駆動装置、１３７…患者固定具、１３９…連結雌部（溝）、２００…映写機制御装置、３００…検査室、４００…制御室、５００…壁、５１０…窓、６１０…端面、６１１…ガイド、６５１…車輪、６５３…第１のアーム、６５５…第２のアーム、Ｄ１…ドア、Ｄ２…ドア、Ｄ３…ドア、Ｇ１…隙間、ＰＥ１…寝台側端部、ＲＩ１…内側空間、ＲＲ１…回転軸、ＲＲ２…旋回軸、ＲＲ３…旋回軸、ＲＲ４…旋回軸
【図１】
0006675170.tif 000002
【図２】
0006675170.tif 000003
【図３】
0006675170.tif 000004
【図４】
0006675170.tif 000005
【図５】
0006675170.tif 000006
【図６】
0006675170.tif 000007
【図７】
0006675170.tif 000008
【図８】
0006675170.tif 000009
【図９】
0006675170.tif 000010
【図１０】
0006675170.tif 000011
【図１１】
0006675170.tif 000012
【図１２】
0006675170.tif 000013
【図１３】
0006675170.tif 000014
【図１４】
0006675170.tif 000015
【図１５】
0006675170.tif 000016
【図１６】
0006675170.tif 000017
【図１７】
0006675170.tif 000018
【図１８】
0006675170.tif 000019
【図１９】
0006675170.tif 000020
【図２０】
0006675170.tif 000021
【図２１】
0006675170.tif 000022
【図２２】
0006675170.tif 000023
【図２３】
0006675170.tif 000024
【図２４】
0006675170.tif 000025
【図２５】
0006675170.tif 000026
【図２６】
0006675170.tif 000027
【図２７】
0006675170.tif 000028
【図２８】
0006675170.tif 000029
【図２９】
0006675170.tif 000030